(57)【特許請求の範囲】
【請求項１】
第１エリア及び前記第１エリアに隣接する第２エリアを有し、
前記第１エリアと前記第２エリアを移動する移動局に対してハンドオーバ機能を用いて特定サービスに係る通信を継続する機能を備え、
前記第１エリアと前記第２エリアとで同一の前記特定サービスが提供される移動通信システムにおける移動通信方法であって、
前記移動局と前記第１エリア内のセルとの間で第１無線データリンクが確立されていない状態において、該移動局と前記第２エリア内のセルとの間で確立されている第２無線データリンクを介して特定サービスを提供する工程Ａと、
所定期間、前記第１無線データリンクが確立されていない状態が続いた場合には、前記第２無線データリンクを介した前記特定サービスの提供を停止する工程Ｂとを有することを特徴とする移動通信方法。
【請求項２】
前記移動局による前記特定サービスに係る通信の開始時に、前記第１無線データリンクが確立されなかった場合、前記所定期間を計時するタイマを起動する工程を有し、
前記工程Ｂにおいて、前記タイマが満了した場合に、前記第２無線データリンクを介した前記特定サービスの提供を停止することを特徴とする請求項１に記載の移動通信方法。
【請求項３】
前記第１無線データリンクが確立された場合に、前記タイマをリセットする工程を有することを特徴とする請求項２に記載の移動通信方法。
【請求項４】
前記特定サービスに係る通信が行われている間に、前記第１無線データリンクが確立されていない状態に遷移した場合、前記タイマを起動する工程を有することを特徴とする請求項２又は３に記載の移動通信方法。
【請求項５】
第１エリア及び前記第１エリアに隣接する第２エリアを有し、
前記第１エリアと前記第２エリアを移動する移動局に対してハンドオーバ機能を用いて特定サービスに係る通信を継続する機能を備え、
前記第１エリアと前記第２エリアとで同一の前記特定サービスが提供される移動通信システムで用いられる無線制御装置であって、
前記移動局と前記第１エリア内のセルとの間で第１無線データリンクが確立されていない状態において、該移動局と前記第２エリア内のセルとの間で確立されている第２無線データリンクを介して前記特定サービスを提供するように構成されている特定サービス提供部を具備しており、
前記特定サービス提供部は、所定期間、前記第１無線データリンクが確立されていない状態が続いた場合には、前記第２無線データリンクを介した前記特定サービスの提供を停止するように構成されていることを特徴とする無線制御装置。
【請求項６】
前記移動局による前記特定サービスに係る通信の開始時に、前記第１無線データリンクが確立されなかった場合、前記所定期間を計時するタイマを起動するように構成されているタイマ制御部を具備し、
前記特定サービス提供部は、前記タイマが満了した場合に、前記第２無線データリンクを介した前記特定サービスの提供を停止するように構成されていることを特徴とする請求項５に記載の無線制御装置。
【請求項７】
前記タイマ制御部は、前記第１無線データリンクが確立された場合に、前記タイマをリセットするように構成されていることを特徴とする請求項６に記載の無線制御装置。
【請求項８】
前記タイマ制御部は、前記特定サービスに係る通信が行われている間に、前記第１無線データリンクが確立されていない状態に遷移した場合、前記タイマを起動するように構成されていることを特徴とする請求項６又は７に記載の無線制御装置。
【請求項９】
第１エリア及び前記第１エリアに隣接する第２エリアを有し、
前記第１エリアと前記第２エリアを移動する移動局に対してハンドオーバ機能を用いて特定サービスに係る通信を継続する機能を備え、
前記第１エリアと前記第２エリアとで同一の前記特定サービスが提供される移動通信システムで用いられる無線基地局であって、
前記移動局と前記第１エリア内のセルとの間で第１無線データリンクが確立されていない状態において、該移動局と前記第２エリア内のセルとの間で確立されている第２無線データリンクを介して前記特定サービスを提供するように構成されている特定サービス提供部を具備しており、
前記特定サービス提供部は、所定期間、前記第１無線データリンクが確立されていない状態が続いた場合には、前記第２無線データリンクを介した前記特定サービスの提供を停止するように構成されていることを特徴とする無線基地局。
【発明の詳細な説明】
【技術分野】
【０００１】
本発明は、第１エリア及び第２エリアを有する移動通信システムにおける移動通信方法、無線制御装置及び無線基地局に関する。
【背景技術】
【０００２】
近年、３ＧＰＰ（３ｒｄ  Ｇｅｎｅｒａｔｉｏｎ  Ｐａｒｔｎｅｒｓｈｉｐ  Ｐｒｏｊｅｃｔｓ）により、符号分割多元接続（ＣＤＭＡ：Ｃｏｄｅ  Ｄｉｖｉｓｉｏｎ  Ｍｕｌｔｉｐｌｅ  Ａｃｃｅｓｓ）技術に基づいた「Ｗ-ＣＤＭＡ（Ｗｉｄｅｂａｎｄ-Ｃｏｄｅ  Ｄｉｖｉｓｉｏｎ  Ｍｕｌｔｉｐｌｅ  Ａｃｃｅｓｓ）システム（又は、ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）」と呼ばれる移動通信システムが仕様化されている。
【０００３】
Ｗ-ＣＤＭＡシステムは、無線レイヤプロトコル機能として、「ＤＨＯ（Ｄｉｖｅｒｓｉｔｙ  Ｈａｎｄ  Ｏｖｅｒ）機能」を備える。
【０００４】
ＤＨＯ機能とは、移動局（ＵＥ：Ｕｓｅｒ  Ｅｑｕｉｐｍｅｎｔ）が、無線基地局によって管理されている複数のセルとの間で確立された無線データリンクを介して通信を行い、受信データの最大比合成処理や選択合成処理等を用いることにより利得の最大化や通信の安定化を図る機能である。
【０００５】
ここで、無線制御装置は、移動局ＵＥからの要求に基づいて、通信品質が劣化したセルと当該移動局ＵＥとの間で確立されている無線データリンクを切断したり、逆に、移動局ＵＥからの報告に基づいて、通信品質が良好なセルと当該移動局ＵＥとの間の無線データリンクを追加したりする制御を行うように構成されている。
【０００６】
また、Ｗ-ＣＤＭＡシステムにおいて、移動局ＵＥの移動時に、かかる制御を行うだけでなく、移動局ＵＥと通信品質が良好な複数のセルとの間で通信可能である場合に、ＤＨＯ状態で、当該移動局ＵＥと当該複数のセルとの間で通信を開始することで、無線リソースを有効に利用することができる。
【０００７】
従来、図１に示すように、複数の無線基地局０１、０２や無線制御装置１０によって複数のエリアＡ、Ｂが形成されており、特定サービスがエリアＡにおいて提供される移動通信システムが知られている。
【０００８】
例えば、かかる移動通信システムでは、エリアＡにおいて、特定契約ユーザ向け定額通信サービス等のような特定サービスが提供される。
【０００９】
しかし、かかる移動通信システムでは、移動局ＵＥが、エリアＡの外に移動した場合、当該エリアＡの隣接エリア（以後、エリアＢ）において、当該エリアＡと同じ特定サービスを提供していない限り、かかる移動局ＵＥに対して、ＤＨＯ状態で、当該特定サービスを提供し続けることはできない。
【００１０】
そのため、一般的には、特許文献１のように、ある無線データリンク（以後、ブランチ）を介して移動局ＵＥに対して特定サービス（特許文献１では、内線通信サービス）を提供している間に、無線制御装置が、当該移動局ＵＥからブランチ追加要求を受信した場合で、かかるブランチ追加要求に係るブランチを介して当該特定サービスを提供することができない場合には、当該移動局ＵＥに対する当該特定サービスの提供を停止する制御を実施せざるを得ない。
【００１１】
その結果、エリアＡの端では、エリアＢの侵食を受け、当該エリアＢ内のセルに係るブランチ追加要求が、移動局ＵＥより送信されてくる可能性が高いことが想定され、当該エリアＢが、特定サービス提供外エリアであれば、移動局ＵＥが、エリアＡ内に在圏しているにも関らず、特定サービスを利用し続けることができなくなる可能性が高い。
【００１２】
また、移動局ＵＥは、特定サービス提供エリアであるエリアＡにおいて、特定サービスに係る通信を開始する際に、特定サービス提供外エリアであるエリアＢ内のセルとの間のブランチ（特定サービスを提供することができないブランチ）も確立してしまうと、かかる特定サービスを利用することができなくなるため、かかる特定サービス提供エリアの広域性を確保することができなくなる。
【００１３】
なお、例えば、特定サービス提供エリアＡの端においても、かかる特定サービスに係る通信の継続性を保つためには、かかる特定サービス提供エリアＡの隣接エリアＢにおいても同じ特定サービスを提供可能とする必要がある。
【００１４】
その結果、特定サービス提供エリアＡの端において、隣接エリアＢからの侵食の影響を低減することができ、また、移動局ＵＥが、ＤＨＯ状態で、特定サービスを利用することができるようになる。
【特許文献１】特開２００４-３６４０５４号公報
【発明の開示】
【発明が解決しようとする課題】
【００１５】
上述のように、従来の移動通信システムでは、特定サービス提供エリアの隣接エリアでも同じ特定サービスを提供するように構成されている場合、特定サービス提供エリアが広域になりすぎ、かかる特定サービス提供エリアを、事業者が本来意図する範囲（例えば、屋内エリア等）に限定することができず、事業者が本来意図する範囲以外（例えば、屋外エリア全域等）において、かかる特定サービスに係る通信の増加による通信容量の圧迫が発生する可能性があるという問題点があった。
【００１６】
さらに、従来の移動通信システムでは、特定サービス提供エリアごとの構成の差異や当該特定サービス提供エリアの変更に依存して、移動局ＵＥごとの当該特定サービス提供エリアの広域性に関する差分や当該特定サービス提供エリアの時間的な変動が発生する可能性があり、事業者が、これらを制御することができないため、当該特定サービスのサービス性が損なわれる可能性があるという問題点があった。
【００１７】
そこで、本発明は、上述の課題に鑑みてなされたものであり、特定サービス提供エリアの隣接エリアにおける通信容量の圧迫を回避し、かかる特定サービス提供エリアごとの構成の差異や当該特定サービス提供エリアの変更に起因するサービス性劣化を回避することができる移動通信方法、無線制御装置及び無線基地局を提供することを目的とする。
【課題を解決するための手段】
【００１８】
本発明の第１の特徴は、第１エリア及び第２エリアを有する移動通信システムにおける移動通信方法であって、移動局と前記第１エリア内のセルとの間で第１無線データリンクが確立されていない状態において、該移動局と前記第２エリア内のセルとの間で確立されている第２無線データリンクを介して前記特定サービスを提供する工程Ａと、所定期間、前記第１無線データリンクが確立されていない状態が続いた場合には、前記第２無線データリンクを介した前記特定サービスの提供を停止する工程Ｂとを有することを要旨とする。
【００１９】
本発明の第１の特徴において、前記移動局による前記特定サービスに係る通信の開始時に、前記第１無線データリンクが確立されなかった場合、前記所定期間を計時するタイマを起動する工程を有し、前記工程Ｂにおいて、前記タイマが満了した場合に、前記第２無線データリンクを介した前記特定サービスの提供を停止してもよい。
【００２０】
本発明の第１の特徴において、前記第１無線データリンクが確立された場合に、前記タイマをリセットする工程を有してもよい。
【００２１】
本発明の第１の特徴において、前記特定サービスに係る通信が行われている間に、前記第１無線データリンクが確立されていない状態に遷移した場合、前記タイマを起動する工程を有してもよい。
【００２２】
本発明の第２の特徴は、第１エリア及び第２エリアを有する移動通信システムで用いられる無線制御装置であって、移動局と前記第１エリア内のセルとの間で第１無線データリンクが確立されていない状態において、該移動局と前記第２エリア内のセルとの間で確立されている第２無線データリンクを介して前記特定サービスを提供するように構成されている特定サービス提供部を具備し、前記特定サービス提供部は、所定期間、前記第１無線データリンクが確立されていない状態が続いた場合には、前記第２無線データリンクを介した前記特定サービスの提供を停止するように構成されていることを要旨とする。
【００２３】
本発明の第２の特徴において、前記移動局による前記特定サービスに係る通信の開始時に、前記第１無線データリンクが確立されなかった場合、前記所定期間を計測するタイマを起動するように構成されているタイマ制御部を具備し、前記特定サービス提供部は、前記タイマが満了した場合に、前記第２無線データリンクを介した前記特定サービスの提供を停止するように構成されていてもよい。
【００２４】
本発明の第２の特徴において、前記タイマ制御部は、前記移動局との間で前記第１無線データリンクが確立された場合に、前記タイマをリセットするように構成されていてもよい。
【００２５】
本発明の第２の特徴において、前記タイマ制御部は、前記特定サービスに係る通信が行われている間に、前記第１無線データリンクが確立されていない状態に遷移した場合、前記タイマを起動するように構成されていてもよい。
【００２６】
本発明の第３の特徴は、第１エリア及び第２エリアを有する移動通信システムで用いられる無線基地局であって、移動局と前記第１エリア内のセルとの間で第１無線データリンクが確立されていない状態において、該移動局と前記第２エリア内のセルとの間で確立されている第２無線データリンクを介して前記特定サービスを提供するように構成されている特定サービス提供部を具備し、前記特定サービス提供部は、所定期間、前記第１無線データリンクが確立されていない状態が続いた場合には、前記第２無線データリンクを介した前記特定サービスの提供を停止するように構成されていることを要旨とする。
【発明の効果】
【００２７】
以上説明したように、本発明によれば、特定サービス提供エリアの隣接エリアにおける通信容量の圧迫を回避し、かかる特定サービス提供エリアごとの構成の差異や当該特定サービス提供エリアの変更に起因するサービス性劣化を回避することができる移動通信方法、無線制御装置及び無線基地局を提供することができる。
【発明を実施するための最良の形態】
【００２８】
（本発明の第１の実施形態に係る移動通信システムの構成）
図１乃至図３を参照して、本発明の第１の実施形態に係る移動通信システムの構成について説明する。
【００２９】
図１に示すように、本実施形態に係る移動通信システムは、無線通信機能を具備する無線基地局０１、０２と、無線基地局０１、０２に接続されており無線制御動作を行う無線制御装置０２とを具備する。
【００３０】
なお、他にも、かかる移動通信システムには、階層化された複数の交換局や、加入者情報を蓄積するホームメモリ等の装置が含まれることが一般的であるが、本明細書では、その記載及び説明を省略する。
【００３１】
また、図１に示すように、本実施形態に係る移動通信システムでは、エリアＡ及びエリアＢの双方において、同一の特定サービス（例えば、特定契約ユーザ向け定額通信サービス等）を提供することができ、特定サービス提供エリアの広域性を保つことが可能である。したがって、移動局ＵＥは、エリアＡ及びエリアＢのいずれかに在圏している場合には、当該移動局ＵＥとエリアＡ（第１エリア）内のセル（例えば、セル０１）との間で第１無線データリンクが確立されている限り、ＤＨＯ状態で、特定サービスを利用することができる。
【００３２】
図２に示すように、本実施形態に係る無線制御装置１０は、送受信部１１と、通信判定部１２と、タイマ制御部１３と、局データ保持部１４と、無線データリンク情報抽出・設定部１５とを具備している。なお、無線制御装置１０は、この他にも様々な機能部を具備しているが、本明細書では、その説明は省略する。
【００３３】
無線データリンク情報抽出・設定部１５は、無線データリンクについての設定処理や変更処理や削除処理等を行うように構成されている。
【００３４】
具体的には、無線データリンク情報抽出・設定部１５は、通信判定部１２からの指示に応じて、第２無線データリンクの削除（切断）処理を行うように構成されている。
【００３５】
タイマ制御部１３は、所定期間（タイマ値）を計時するタイマの起動やリセットを制御するように構成されている。
【００３６】
具体的には、タイマ制御部１３は、移動局ＵＥによる特定サービスに係る通信の開始時に、移動局ＵＥとエリアＡ（第１エリア）内のセル（例えば、セル０１）との間で第１無線データリンクが確立されなかった場合（すなわち、無線データリンク情報抽出・設定部１５から、その旨が通知された場合）に、かかるタイマを起動するように構成されている。
【００３７】
また、タイマ制御部１３は、上述の第１無線データリンクが確立された場合（すなわち、無線データリンク情報抽出・設定部１５から、その旨が通知された場合）に、かかるタイマをリセットするように構成されている。
【００３８】
さらに、タイマ制御部１３は、特定サービスに係る通信が行われている間に、上述の第１無線データリンクが確立されていない状態に遷移した場合（例えば、第１無線データリンクの削除処理や、第１無線データリンクの第２無線データリンク等への変更処理が行われた旨が、無線データリンク情報抽出・設定部１５から通知された場合）に、かかるタイマを起動するように構成されている。
【００３９】
通信判定部１２は、タイマ制御部１３によって制御されているタイマ及び局データ保持部１４により保持されている通信中セルに係る情報等の局データに応じて、第２無線データリンクを介した特定サービスに係る通信の継続の可否について、すなわち、第２無線データリンクを介した特定サービスの提供を継続するか否かについて判定するように構成されている。
【００４０】
また、通信判定部１２は、所定期間、第１無線データリンクが確立されていない状態が続いた場合には、第２無線データリンクを介した特定サービスの提供を停止するように送受信部１１に指示すると共に、第２無線データリンクを削除（切断）するように無線データリンク情報抽出・設定部１５に指示する。
【００４１】
具体的には、通信判定部１２は、上述の所定期間を計時するタイマが満了した場合（すなわち、タイマ制御部１３によって計時されているタイマが満了したことを検出した場合）に、第２無線データリンクを介した特定サービスの提供を停止するように送受信部１１に指示すると共に、第２無線データリンクを削除（切断）するように無線データリンク情報抽出・設定部１５に指示する。
【００４２】
局データ保持部１４は、無線制御装置管轄のエリアごとに、通信判定部１２による判定に用いるためのデータやタイマ値等の局データを保持するように構成されている。
【００４３】
図３に示すように、局データ保持部１４は、各ケースに応じたタイマ値を保持しており、指定されるケースに対応するタイマ値を返却することが可能である。
【００４４】
例えば、エリアＢからの影響をほとんど受けていないケースを「ケースＡ」とすると、局データ保持部１４は、「ケースＡ」が指定されれば、タイマ値「００ｘ０」を返却するというように、エリアＢからの影響に応じて、各ケースに応じたタイマ値を返すように構成されている。
【００４５】
なお、タイマをＯＦＦとするケースを「ケースＸ」とすると、局データ保持部１４は、「ケースＸ」が指定されれば、タイマ値「０ｘＦＦ」を返却するように構成されている。
【００４６】
また、図３に示すように、局データ保持部１４は、「セルＩＤ」と「エリアＩＤ」とを対応付けて保持しており、指定された「セルＩＤ」に対応する「エリアＩＤ」を返却するように構成されている。
【００４７】
図３の例では、エリアＩＤ「０ｘ０００」が「エリアＡ」に対応しており、エリアＩＤ「０ｘ００１」が「エリアＢ」に対応しているものとする。
【００４８】
送受信部１１は、移動局ＵＥや無線基地局との間でデータの送受信を行うように構成されている。
【００４９】
具体的には、送受信部１１は、移動局ＵＥとエリアＡ内のセルとの間で確立されている第１無線データリンクを介して、移動局ＵＥに対して、特定サービスを提供するように構成されている。
【００５０】
また、送受信部１１は、移動局ＵＥとエリアＡ内のセルとの間で第１無線データリンクが確立されていない状態において、移動局ＵＥとエリアＢ（第２エリア）内のセル（例えば、セル０２）との間で確立されている第２無線データリンクを介して、移動局ＵＥに対して、かかる特定サービスを提供するように構成されている。
【００５１】
ただし、送受信部１１は、所定期間、第１無線データリンクが確立されていない状態が続いた場合には、第２無線データリンクを介した特定サービスの提供を停止するように構成されている。
【００５２】
具体的には、送受信部１１は、通信判定部１２からの指示に応じて、タイマ制御部１３によって計時されているタイマが満了したことを検出した場合に、第２無線データリンクを介した特定サービスの提供を停止するように構成されている。
【００５３】
（本発明の第１の実施形態に係る移動通信システムの動作）
図４乃至図８を参照して、本発明の第１の実施形態に係る移動通信システムの動作について説明する。
【００５４】
第１に、図４乃至図８を参照して、本発明の第１の実施形態に係る移動通信システムにおける通信中セルの変更時の動作を示すシーケンス図である。
【００５５】
図４に示すように、ステップＳ１０００において、移動局ＵＥが、エリアＡ内の無線基地局０１配下のセル０１との間で確立されている第１無線データリンクを介して特定サービスを利用している。
【００５６】
移動局ＵＥは、所定のアルゴリズムにより、ステップＳ１００２において、移動等に伴い、エリアＢ内のセル０２との間の無線通信環境が良好となった場合等の無線データリンクの追加要求トリガを検出した場合に、ステップＳ１００３において、無線制御装置１０に対して、セル０２との間の第２無線データリンクの追加要求（無線状態報告）を送信する。
【００５７】
エリアＢ内のセル０２では、特定サービスの提供が許容されているため、ステップＳ１００４において、移動局ＵＥとセル０２との間の第２無線データリンクの追加処理が行われ、移動局ＵＥは、ＤＨＯ通信状態となる。
【００５８】
無線制御装置１０は、ステップＳ１００５において、「Ａｃｔｉｖｅ  Ｓｅｔ  Ｕｐｄａｔｅ  Ｃｏｍｐｌｅｔｅ」によって、移動局ＵＥによる通信中セルの更新が通知された場合、ステップＳ１００６において、図７に示す動作を行う。
【００５９】
移動局ＵＥは、所定のアルゴリズムにより、ステップＳ１００７において、移動等に伴い、エリアＢ内のセル０２との間の無線通信環境が劣悪となった場合等の無線データリンクの削除要求トリガを検出した場合に、ステップＳ１００８において、無線制御装置１０に対して、セル０１との間の第１無線データリンクの削除要求（無線状態報告）を送信する（図５参照）。
【００６０】
ステップＳ１００９において、移動局ＵＥとセル０１との間の第１無線データリンクの削除（切断）処理が行われる（図６参照）。
【００６１】
無線制御装置１０は、ステップＳ１０１０において、「Ａｃｔｉｖｅ  Ｓｅｔ  Ｕｐｄａｔｅ  Ｃｏｍｐｌｅｔｅ」によって、移動局ＵＥによる通信中セルの更新が通知された場合、ステップＳ１０１１において、図７に示す動作を行う。
【００６２】
その後、所定期間、移動局ＵＥとセル０１との間で第１無線データリンクが確立されていない状態が続いた場合、ステップＳ１０１２において、移動局ＵＥとセル０２との間の第２無線データリンクの削除（切断）処理が行われる。
【００６３】
なお、稀な状況ではあるが、移動局ＵＥが、エリアＡやエリアＢに在圏している場合であっても、何らかの電波状況により、エリアＢよりも更に外側の特定サービスの提供が許容されていないエリア（図にはないが、これを便宜上エリアＣとする）内のセルとの間の無線データリンクの追加要求が、移動局より送信されてくる場合がある。
【００６４】
無線制御装置１０は、かかる無線データリンクの追加要求に対しては、一律破棄するように構成されていてもよいし、かかる無線データリンクの追加要求が発生した場合は、移動局ＵＥとエリアＡ内のセルとの間で第１無線データリンクを介した通信が行われている場合であっても、タイマを起動させ、所定期間が経過した後に、移動局ＵＥによって確立されている無線データリンクを切断するように構成されていてもよい。
【００６５】
移動局ＵＥがエリアＡ内のセルとの間で確立されている第１無線データリンクを介して通信を行っている場合で、かつ、エリアＣ内のセルの間の無線データリンクの追加要求が移動局ＵＥから送信される場合の例としては、エリアＡ及びエリアＣが大きくエリアＢに侵食している状況が考えられる。
【００６６】
かかる場合は、移動局ＵＥが、エリアＡ（エリアＡと同視できるエリア）から外れており、エリアＢ（エリアＡと同視できないエリア）に在圏していることが考えられるので、特定サービス提供エリアを、エリアＡに限定するのであれば、無線制御装置１０は、上述のタイマにより、第１無線データリンクを切断するように構成されていてもよい。
【００６７】
次に、図７に示す無線制御装置１０の動作について説明する。
【００６８】
図７に示すように、無線制御装置１０の送受信部１１が、移動局ＵＥから、無線データリンクの追加処理又は削除処理（移動局ＵＥにおける通信中セルの更新処理）が完了したことを示す「Ａｃｔｉｖｅ  Ｓｅｔ  Ｕｐｄａｔｅ  Ｃｏｍｐｌｅｔｅ」を受信した場合、ステップＳ１０２において、無線制御装置１０の通信判定部１２が、局データ保持部１４に保持されている局データに基づいて、更新された通信中セルの各々が、どのエリアに属するセルかについて示す情報（通信中エリア情報）を抽出する。
【００６９】
ここで、通信判定部１２は、通信中セルに対応するアドレスを用いて、局データ保持部１４に格納されている通信中エリア情報を照会することができる。かかる照会は、通信中セルの数Ｎだけ行われる。
【００７０】
通信判定部１２は、ステップＳ１０３において、１からＮまでの整数を取り得る変数ｎに１を与え、ステップＳ１０４において、１つ目の通信中セルがエリアＡに属するか否かについて判定する。
【００７１】
かかる通信中セルが、エリアＡに属さないと判定された場合は、通信判定部１２は、ステップＳ１０６Ｂにおいて、変数ｎを１だけ増加させ、２つ目の通信中セルについてステップＳ１０４の判定処理を行う。
【００７２】
通信判定部１２は、かかる判定処理を最大Ｎ回行うが、エリアＡに属する通信中セルを発見した時点で、かかる判定処理を終了し、ステップＳ１０９に進む。
【００７３】
通信判定部１２は、ステップＳ１０９において、タイマ制御部１３によって制御されているタイマが起動中であるか否かについて判定し、起動中であると判定された場合、ステップＳ１１０において、当該タイマをリセットした後、ステップＳ１１１に進み、起動中でないと判定された場合、当該タイマをリセットすることなく、ステップＳ１１１に進む。
【００７４】
ここで、タイマのリセットが必要である例としては、移動局ＵＥが、タイマの起動中に、再びエリアＡ内のセルと間で第１無線データリンクを確立する状態になった場合が考えられる。
【００７５】
ステップＳ１１１において、無線制御装置１０の送受信部１１は、エリアＡ内のセル（通信中セル）との間で確立されている第１無線データリンクを介した通信を継続する。
【００７６】
一方、通信判定部１２は、ステップＳ１０４の判定処理をＮ回行ったにも関らず、エリアＡに属する通信中セルを発見できなかった場合には、ステップＳ１０６Ａにおいて、タイマ制御部１３によって制御されているタイマが起動中であるか否かについて判定し、起動中であると判定された場合、ステップＳ１１０において、局データ保持部１４で規定されているタイマ値Ｔ０〜Ｔｌを用いてタイマを起動した後、ステップＳ１０８に進み、起動中でないと判定された場合、当該タイマを起動することなく、ステップＳ１０８に進む。
【００７７】
ステップＳ１０８において、無線制御装置１０の送受信部１１は、エリアＡ内のセル（通信中セル）との間で確立されている第１無線データリンクを介した通信を継続する。
【００７８】
また、通信判定部１２は、図８のステップＳ３０２に示すように、常時、タイマが満了しているか否かについて監視しており、タイマが満了したことを検出した場合、ステップＳ３０３における通信切断処理を行う。
【００７９】
なお、かかるタイマが満了する前に、通信中セルの更新が発生した場合、無線制御装置１０は、再度、図７に示す動作を行う。
【００８０】
また、無線制御装置１０は、ステップＳ１０４において、エリアＡに属する通信中セルを発見することができずに、ステップＳ１０７において、タイマを起動したが、かかるタイマが満了する前に、移動局ＵＥが、エリアＡ内のセルとの間で通信可能である場所へ移動し、エリアＡ内のセルとの間の通信品質が良好となったことを契機に、当該エリアＡ内のセルとの間の無線データリンクの追加要求を送信することによって、当該移動局ＵＥによる通信中セルを更新する場合について考える。
【００８１】
かかる場合、無線制御装置１０は、移動局ＵＥから「Ａｃｔｉｖｅ  Ｓｅｔ  Ｕｐｄａｔｅ  Ｃｏｍｐｌｅｔｅ」を受信した後、図７に示す動作において、エリアＡに属する通信中セルを発見し（ステップＳ１０４）、特定サービスに係る通信を継続させるために、上述のタイマのリセットを行う（ステップＳ１１０）。
【００８２】
このように、状況に応じて、タイマを活用することで、特定サービスに係る通信の切断を遅延させることが可能である。すなわち、タイマを設定して特定サービスに係る通信の切断を遅延させることで、特定サービスに係る通信を継続させたまま、移動局ＵＥとエリアＡ内のセルとの間の第１無線データリンクが確立されるのを待つことができる。
【００８３】
なお、起動中のタイマで用いられているタイマ値が長ければ長いほど、特定サービスに係る通信を継続することができる期間が長くなる。
【００８４】
例えば、エリアＢから大きく影響を受けている場所（エリアＡ内）では、移動局ＵＥとエリアＡ内のセルとの間の通信品質が劣化して、当該移動局ＵＥと当該エリアＡ内のセルとの間で確立している無線データリンクが削除されやすい状況であるため、上述のタイマで用いられるタイマ値を長く設定することで、特定サービスに係る通信の継続時間を長くし、特定サービス提供エリアを狭小化することを阻止することができる。
【００８５】
また、エリアＢからの影響を更に大きく受けるような場所（エリアＡ内）では、タイマ値「０ｘＦＦ」を用いてタイマをＯＦＦとすることで、タイマによる特定サービスに係る通信の切断を行わず、特定サービス提供エリアの広域性を保つことができる。
【００８６】
逆に、エリアＡ（例えば、屋内エリア）においてエリアＢ（例えば、屋外エリア）からの影響が小さい場合は、タイマ値を「０ｘ００」とすることで、特定サービスに係る通信を即座に切断することも可能であり、特定サービス提供エリアが拡大しすぎるのを防ぐことができる。
【００８７】
さらに、通話継続時間や通話積算時間等により、異なったタイマ値を、各移動局ＵＥに対して与えることも可能であり、状況に応じたサービスが実現可能である。
【００８８】
第２に、図９及び図１０を参照して、本実施形態に係る移動通信システムにおける通信開始時の動作について説明する。
【００８９】
図９に示すように、ステップＳ２００１において、移動局ＵＥが、エリアＡ内のセル０１（無線基地局０１配下）及びエリアＢ内のセル０２（無線基地局０２配下）を介して特定サービスを利用するために、無線制御装置１０に対して、通信開始要求を送信する。
【００９０】
エリアＡ内のセル及びエリアＢ内のセルは共に、移動局ＵＥに対して特定サービスを提供することができるため、ステップＳ２００２において、特定サービスに係る通信の開始処理、及び、当該特定サービスを提供するための無線データリンク（第１無線データリンク及び第２無線データリンク）の確立処理を行う。
【００９１】
ステップＳ２００３において、移動局ＵＥは、かかる通信の開始処理及び無線データリンクの確立処理が完了した場合、その旨を示す通信確立報告を、無線装置１０に対して送信する。
【００９２】
ステップＳ２００４において、無線制御装置１０は、図１０に示す動作を行う。ここで、図１０に示す無線制御装置１０の動作について説明する。
【００９３】
図１０に示すように、無線制御装置１０の送受信部１１が、移動局ＵＥから、上述の通信確立報告を受信した場合、ステップＳ２０２において、無線制御装置１０の通信判定部１２が、局データ保持部１４に保持されている局データに基づいて、通信開始時に無線データリンクが確立された通信中セルの各々が、どのエリアに属するセルかについて示す情報（通信中エリア情報）を抽出する。
【００９４】
ここで、通信判定部１２は、通信中セルに対応するアドレスを用いて、局データ保持部１４に格納されている通信中エリア情報を照会することができる。かかる照会は、通信中セルの数Ｎだけ行われる。
【００９５】
通信判定部１２は、ステップＳ２０３において、１からＮまでの整数を取り得る変数ｎに１を与え、ステップＳ２０４において、１つ目の通信中セルがエリアＡに属するか否かについて判定する。
【００９６】
かかる通信中セルが、エリアＡに属さないと判定された場合は、通信判定部１２は、ステップＳ２０６において、変数ｎを１だけ増加させ、２つ目の通信中セルについてステップＳ２０４の判定処理を行う。
【００９７】
通信判定部１２は、かかる判定処理を最大Ｎ回行うが、エリアＡに属する通信中セルを発見した時点で、かかる判定処理を終了し、ステップＳ２０８に進む。
【００９８】
通信判定部１２は、ステップＳ２０８において、無線制御装置１０の送受信部１１は、エリアＡ内のセル（通信中セル）との間で確立されている第１無線データリンクを介した通信を継続する。
【００９９】
一方、通信判定部１２は、ステップＳ２０４の判定処理をＮ回行ったにも関らず、エリアＡに属する通信中セルを発見できなかった場合には、ステップＳ２０６において、局データ保持部１４で規定されているタイマ値Ｔ０〜Ｔｌを用いてタイマを起動した後、ステップＳ２０７において、無線制御装置１０の送受信部１１は、エリアＡ内のセル（通信中セル）との間で確立されている第１無線データリンクを介した通信を継続する。
【０１００】
無線制御装置１０は、ステップＳ２００４において、図１０に示す動作を終了した後は、図４に示す動作を行う状態に遷移する。
【０１０１】
（本発明の第１の実施形態に係る移動通信システムの作用・効果）
本発明の第１の実施形態に係る移動通信システムによれば、特定サービス提供エリアの隣接エリアにおける通信容量の圧迫を回避し、かかる特定サービス提供エリアごとの構成の差異や当該特定サービス提供エリアの変更に起因するサービス性劣化を回避することができる。
【０１０２】
（本発明の第２の実施形態に係る移動通信システム）
図１１を参照して、本発明の第２の実施形態に係る移動通信システムについて説明する。以下、本発明の第２の実施形態に係る移動通信システムについて、上述の第１の実施形態に係る移動通信システムとの相違点を主として説明する。
【０１０３】
現在、３ＧＰＰで検討されている「ＬＴＥ（Ｌｏｎｇ  Ｔｅｒｍ  Ｅｖｏｌｕｔｉｏｎ）方式」の移動通信システムでは、従来の無線基地局ＮｏｄｅＢ及び無線回線制御局ＲＮＣの能力を併せ持った無線基地局ｅＮｏｄｅＢが導入されることが計画されている。
【０１０４】
また、ＬＴＥ方式の移動通信システムでは、制御の簡素化のために、ＦＯＭＡネットワークのように、ＤＨＯが実施されない可能性が高い。
【０１０５】
その代わりに、ＬＴＥ方式の移動通信システムでは、図１１に示すように、移動局ＵＥによって確立される無線データリンクの数を常時「１」とする「ＨＯ（Ｈａｎｄ  Ｏｖｅｒ）」（ＦＯＭＡネットワークにおける「ＨＨＯ（Ｈａｒｄ  Ｈａｎｄ  Ｏｖｅｒ）」同等のシステム。ＦＯＭＡネットワークにおけるＨＨＯでは、周波数の切替を実施するが、ＬＴＥにおけるＨＯでは、周波数の切替を実施するとは限らない。）が実施される。
【０１０６】
図１１の例では、無線基地局ｅＮｏｄｅＢ＃Ａが、エリアＡ内のセルを管理するように構成されており、無線基地局ｅＮｏｄｅＢ＃Ｂが、エリアＢ内のセルを管理するように構成されている。
【０１０７】
以下、図１１を参照して、本実施形態に係る移動通信システムの動作について説明する。
【０１０８】
第１に、本実施形態に係る移動通信システムにおいて、移動局ＵＥの移動等によって、移動局ＵＥと当該移動局ＵＥと現在通信中の無線基地局ｅＮｏｄｅＢ＃Ａ配下のセル（エリアＡ内のセル）との間の通信品質よりも、当該移動局ＵＥと無線基地局ｅＮｏｄｅＢ＃Ａに隣接する無線基地局ｅＮｏｄｅＢ＃Ｂ配下のセル（エリアＢ内のセル）との間の通信品質の方が良くなった場合、当該移動局ＵＥと当該無線基地局ｅＮｏｄｅＢ＃Ｂ配下のセル（エリアＢ内のセル）との間で新たに第２無線データリンクＲＬ２を確立し、当該移動局ＵＥと当該無線基地局ｅＮｏｄｅＢ＃Ａ配下のセル（エリアＡ内のセル）との間で確立されている第１無線データリンクＲＬ１を切断する。
【０１０９】
ここで、無線基地局ｅＮｏｄｅＢ＃Ｂによって、第１無線データリンクＲＬ１が確立されていない状態において、第２無線データリンクＲＬ２を介して、移動局ＵＥに対する特定サービスの提供が継続される。
【０１１０】
また、無線基地局ｅＮｏｄｅＢ＃Ｂが、第１無線データリンクＲＬ１の切断に際して、すなわち、第１無線データリンクＲＬ１が確立されていない状態に遷移した場合、所定時間を計時するタイマを起動する。
【０１１１】
第２に、無線基地局ｅＮｏｄｅＢ＃Ｂは、所定期間、第１無線データリンクＲＬ１が確立されていない状態が続いた場合には、第２無線データリンクＲＬ２を介した特定サービスの提供を停止する。
【０１１２】
具体的には、無線基地局ｅＮｏｄｅＢ＃Ｂは、上述のタイマが満了した場合に、第２無線データリンクＲＬ２を介した特定サービスの提供を停止する。
【０１１３】
一方、タイマが満了する前に、移動局ＵＥとエリアＢ内のセルとの間の通信品質よりも、当該移動局ＵＥとエリアＡ内のセルとの間の通信品質の方が良くなったため、上述の第１無線データリンクＲＬ１が再度確立され、第２無線データリンクが切断された場合（すなわち、移動局ＵＥが、エリアＡ内のセルとの間の第１無線データリンクを介した通信に復帰した場合）に、無線基地局ｅＮｏｄｅＢ＃Ｂは、上述のタイマをリセットする。
【０１１４】
ここで、無線基地局ｅＮｏｄｅＢ＃Ａが、上述のタイマを管理し、かかるタイマが満了した旨を、無線基地局ｅＮｏｄｅＢ＃Ｂに通知するように構成されていてもよい。
【０１１５】
なお、上述の無線制御装置１０、移動局ＵＥ及び無線基地局の動作は、ハードウェアによって実施されてもよいし、プロセッサによって実行されるソフトウェアモジュールによって実施されてもよいし、両者の組み合わせによって実施されてもよい。
【０１１６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【０１１８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０１１９】
【図１】本発明の第１の実施形態に係る移動通信システムの全体構成図である。
【図２】本発明の第１の実施形態に係る無線制御装置の機能ブロック図である。
【図３】本発明の第１の実施形態に係る無線制御装置の局データ保持部によって保持される内部データ一例を示す図である。
【図４】本発明の第１の実施形態に係る移動通信システムにおける通信中セルの変更時の動作を示すシーケンス図である。
【図５】本発明の第１の実施形態に係る移動通信システムにおける通信中セルの変更時の動作を説明するための図である。
【図６】本発明の第１の実施形態に係る移動通信システムにおける通信中セルの変更時の動作を説明するための図である。
【図７】本発明の第１の実施形態に係る無線制御装置における通信中セルの変更時の動作を示すフローチャートである。
【図８】本発明の第１の実施形態に係る無線制御装置における通信中の動作を示すフローチャートである。
【図９】本発明の第１の実施形態に係る移動通信システムにおける通信開始時の動作を示すシーケンス図である。
【図１０】本発明の第１の実施形態に係る無線制御装置における通信開始時の動作を示すフローチャートである。
【図１１】本発明の第２の実施形態に係る移動通信システムについて説明する図である。
【符号の説明】
【０１２０】
ＵＥ…移動局
０１、０２…無線基地局
１０…無線制御装置
１１…送受信部
１２…通信判定部
１３…タイマ制御部
１４…局データ保持部
１５…無線データリンク情報抽出・設定部
【図１】
0005106994.tif 000002
【図２】
0005106994.tif 000003
【図３】
0005106994.tif 000004
【図４】
0005106994.tif 000005
【図５】
0005106994.tif 000006
【図６】
0005106994.tif 000007
【図７】
0005106994.tif 000008
【図８】
0005106994.tif 000009
【図９】
0005106994.tif 000010
【図１０】
0005106994.tif 000011
【図１１】
0005106994.tif 000012